【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
複数の中継ノードを介して送信元ノードと宛先ノードとの間で通信を行うネットワークの状態を監視するネットワークの状態監視方式であって、前記送信元ノードから各前記中継ノードを介して前記宛先ノードへテストパケットを送信し、前記中継ノードにおいて測定された自ノードの中継遅延時間が前記テストパケットに付加され、前記宛先ノードにおいて受信した前記テストパケットの宛先を前記送信元ノードに指定してテスト応答パケットして折り返し送信し、このテスト応答パケットを受信した送信元ノードにおいて前記受信したテスト応答パケットから各前記中継ノードの中継遅延時間を抽出し、前記送信元ノードに設けた異常状態検出部により、前記抽出した各前記中継ノードの前記中継遅延時間から異常なノードを検出するネットワークの状態監視方式。
【請求項２】
前記送信元ノードにおいて、前記テストパケットであることを各前記中継ノードが識別できるよう前記テストパケットにテストパケット識別子を付加して送信することを特徴とする請求項１に記載のネットワークの状態監視方式。
【請求項３】
各前記中継ノードは、前記テストパケットを受信すると当該受信したテストパケットの前記テストパケット識別子を判別し、前記テストパケットを受信したことをそれぞれ認識した場合は、それぞれ前記テストパケットの中継時に前記自ノードの中継遅延時間を前記テストパケットに付加して送信することを特徴とする請求項２に記載のネットワークの状態監視方式。
【請求項４】
各前記中継ノードは、前記テストパケットを受信すると当該受信したテストパケットの前記テストパケット識別子を判別し、前記受信したテストパケットの前記テストパケット識別子が前記自ノードの中継遅延時間を付加する必要がない識別子の場合は、前記受信したテストパケットを加工することなく転送することを特徴とする請求項２に記載のネットワークの状態監視方式。
【請求項５】
前記宛先ノードは、前記テストパケットを前記テスト応答パケットとして折り返し送信するときに、前記テストパケットの宛先アドレスを前記テスト応答パケットの送信元アドレスにコピーし、前記テストパケットの送信元アドレスを前記テスト応答パケットの宛先アドレスにコピーすることを特徴とする請求項１〜４の何れか一に記載のネットワークの状態監視方式。
【請求項６】
前記宛先ノードは、前記テストパケットを前記テスト応答パケットとして折り返し送信するときに、前記宛先ノードの中継遅延時間を前記テスト応答パケットに付加することを特徴とする請求項１〜５の何れか一に記載のネットワークの状態監視方式。
【請求項７】
前記送信元ノードは、前記テストパケットに付加されるノード中継時の優先制御に使用される優先度を変更し、前記中継ノード、および、前記宛先ノードにて各優先度におけるパケットの中継遅延時間を測定することを特徴とする請求項１〜６の何れか一に記載のネットワークの状態監視方式。
【請求項８】
前記送信元ノードは、定期的に前記テストパケットを送信することにより、定期的に各前記中継ノードの中継遅延時間を取得し、取得した中継遅延時間から各前記中継ノードごとの中継遅延時間の異常と判定する閾値を自動算出して設定、もしくは手動で設定することにより、定常的な異常および過渡的な異常を検出することを特徴とする請求項１〜７の何れか一に記載のネットワークの状態監視方式。
【請求項９】
複数の中継ノードを介して送信元ノードと宛先ノードとの間で通信を行うネットワークの状態を監視するネットワークの状態監視方式であって、前記送信元ノードから各前記中継ノードを介して、前記宛先ノードへテストパケットを送信し、前記テストパケットを受信した各前記中継ノードおよび前記宛先ノードは、それぞれ自ノードの中継遅延時間を付加したテスト応答パケットを前記送信元ノードへ送信し、各前記中継ノードおよび前記宛先ノードから送信された前記テスト応答パケットを受信した前記送信元ノードは、受信したテスト応答パケットから各前記中継ノードの前記中継遅延時間を抽出し、前記送信元ノードに設けた異常状態検出部により、前記抽出した各前記中継ノードの前記中継遅延時間から異常なノードを検出するネットワークの状態監視方式。
【請求項１０】
各前記中継ノード、前記宛先ノードは、ランダム、もしくは一定時間の待ち時間経過後にテスト応答パケットを送信することを特徴とする請求項９に記載のネットワークの状態監視方式。
【請求項１１】
複数の中継ノードを介して送信元ノードと宛先ノードとの間で通信を行うネットワークの状態を監視するネットワークの状態監視方式であって、前記送信元ノードから各前記中継ノードを介して、前記宛先ノードへテストパケットを送信し、前記テストパケットを受信した各前記中継ノード、前記宛先ノードはそれぞれ自ノードの中継遅延時間を算出し、前記宛先ノードはテスト応答パケットに前記宛先ノードの中継遅延時間を付加して折り返し送信し、前記テスト応答パケットを受信した各前記中継ノードは、前記テストパケットの受信時に算出した自ノードの中継遅延時間を前記テスト応答パケットに付加して送信し、このテスト応答パケットを受信した送信元ノードにおいて前記受信したテスト応答パケットから各前記中継ノードの中継遅延時間を抽出し、前記送信元ノードに設けた異常状態検出部により、前記抽出した各前記中継ノードの前記中継遅延時間から異常なノードを検出するネットワークの状態監視方式。
【手続補正２】
【補正対象書類名】明細書
【補正対象項目名】００１０
【補正方法】変更
【補正の内容】
【００１０】
この発明に係るネットワークの状態監視方式は、複数の中継ノードを介して送信元ノードと宛先ノードとの間で通信を行うネットワークの状態を監視するネットワークの状態監視方式であって、前記送信元ノードから各前記中継ノードを介して前記宛先ノードへテストパケットを送信し、前記中継ノードにおいて測定された自ノードの中継遅延時間が前記テストパケットに付加され、前記宛先ノードにおいて受信した前記テストパケットの宛先を前記送信元ノードに指定してテスト応答パケットして折り返し送信し、このテスト応答パケットを受信した送信元ノードにおいて前記受信したテスト応答パケットから各前記中継ノードの中継遅延時間を抽出し、前記送信元ノードに設けた異常状態検出部により、前記抽出した各前記中継ノードの前記中継遅延時間から異常なノードを検出するものである。
【手続補正３】
【補正対象書類名】明細書
【補正対象項目名】００１１
【補正方法】変更
【補正の内容】
【００１１】
この発明は、複数の中継ノードを介して送信元ノードと宛先ノードとの間で通信を行うネットワークの状態を監視するネットワークの状態監視方式であって、前記送信元ノードから各前記中継ノードを介して前記宛先ノードへテストパケットを送信し、前記中継ノードにおいて測定された自ノードの中継遅延時間が前記テストパケットに付加され、前記宛先ノードにおいて受信した前記テストパケットの宛先を前記送信元ノードに指定してテスト応答パケットして折り返し送信し、このテスト応答パケットを受信した送信元ノードにおいて前記受信したテスト応答パケットから各前記中継ノードの中継遅延時間を抽出し、前記送信元ノードに設けた異常状態検出部により、前記抽出した各前記中継ノードの前記中継遅延時間から異常なノードを検出するので、送信元ノードで中継および宛先の各ノードの遅延時間を取得し、取得した遅延時間が正常か異常かを自動認識することにより、送信元ノードで異常なノードを検出できる効果がある。